(57)【要約】【課題】複数の符号化方式に対応した画像圧縮符号化復号装置あるいは記録再生装置間の通信及び画像転送において一方の符号化ストリームの画像のズーム処理を画質劣化を抑えつつ実現する。【解決手段】入力画像サイズを保持しつつ符号化して記録メディア１０４に記録する圧縮符号化手段１０２と、入力画像の一部を取出してズーム処理し解像度変換を行う画像解像度変換手段１０７〜１０９と、ズーム処理した画像を通信媒体１１２に出力するもうひとつの圧縮符号化手段１１０を備え、更に、解像度変換や符号化パラメータ等の制御をネットワークを介して外部の機器１１３から相互に行う手段を設けたビデオ信号記録再生装置。【選択図】        図１
2004208213.tif 000002
【特許請求の範囲】
【請求項１】
ビデオ信号が入力される入力手段と、
前記ビデオ信号を第１の符号化方式で圧縮符号化して第１の符号化ビデオビットストリームを生成して出力する第１のビデオ圧縮符号化手段と、
前記ビデオ信号の所定の画像領域を所定の解像度に解像度変換する解像度変換手段と、
前記解像度変換手段によって解像度変換されたビデオ信号を第２の符号化方式で圧縮符号化して第２の符号化ビデオビットストリームを生成して出力する第２のビデオ圧縮符号化手段と、
ネットワークと接続され、前記解像度変換手段にて変換される前記所定の画像領域および／または前記所定の解像度を指定する制御コマンドを受信する通信Ｉ／Ｆ手段と、
前記解像度変換手段が前記制御コマンドに応じて解像度変換をするように制御する制御手段と、
を備えることを特徴とするビデオ信号処理装置。
【請求項２】
請求項１において、
前記制御コマンドを入力する制御コマンド入力手段と、
前記第２の符号化ビデオビットストリームを伸張復号化する伸張復号化手段と、を備え、
前記通信Ｉ／Ｆ手段は、前記制御コマンド入力手段によって入力された前記制御コマンドを前記ネットワークに送信し、前記ネットワークから前記第２の符号化ビデオビットストリームを受信して前記伸張復号化手段に出力すること、
を特徴とするビデオ信号処理装置。
【請求項３】
請求項２に記載のビデオ信号処理装置を複数備え、
第１の前記ビデオ信号処理装置は、前記制御コマンドを送信し、
第２の前記ビデオ信号処理装置は、前記制御コマンドを受信し、前記制御コマンドに応じて解像度変換および圧縮符号化した第２の符号化ビデオビットストリームを送信し、
第１の前記ビデオ信号処理装置は、自らが送信した前記制御コマンドに応じて解像度変換および圧縮符号化された第２の符号化ビデオビットストリームを受信し、伸張復号化すること、
を特徴とするビデオ信号処理システム。
【請求項４】
請求項２において、
被写体を撮像し、前記ビデオ信号を生成して出力する撮像手段と、
前記第１の符号化ビデオビットストリームを第１の蓄積メディアに記録再生する第１の記録再生手段と、
前記第２の符号化ビデオビットストリームを第２の蓄積メディアに記録再生する第２の記録再生手段と、
前記伸張復号化手段から出力されるビデオ信号を表示する表示手段と、
を備えることを特徴とするビデオ信号処理装置。
【請求項５】
ビデオ信号が解像度変換され圧縮符号化された符号化ビデオビットストリームを受信して表示する携帯端末であって、
前記解像度変換に用いる制御コマンドを入力する制御コマンド入力手段と、
前記制御コマンドをネットワークに送信し、前記ネットワークから前記制御コマンドに応じて解像度変換され圧縮符号化された前記符号化ビデオビットストリームを受信する通信Ｉ／Ｆ手段と、
前記受信した符号化ビデオビットストリームを伸張復号化して前記ビデオ信号を出力する伸張復号化手段と、
前記伸張復号化手段から出力されたビデオ信号を表示する表示手段と、
を備えることを特徴とする携帯端末。
【請求項６】
入力ビデオ信号を圧縮符号化した符号化ビデオビットストリームを出力するビデオ信号符号化装置において、
前記入力ビデオ信号を圧縮符号化し第１の符号化ビデオビットストリームを生成して出力する第１のビデオ圧縮符号化手段と、
前記入力ビデオ信号のうち一部の画像領域のみを所定の解像度に解像度変換する解像度変換手段と、
該解像度変換手段によって解像度変換されたビデオ信号を圧縮符号化し第２の符号化ビデオビットストリームを生成して出力する第２のビデオ圧縮符号化手段と、
前記第２の符号化ビデオビットストリーム及び各種制御コマンド等を通信ネットワークに入出力する通信Ｉ／Ｆ手段と、
を有することを特徴とするビデオ信号符号化装置。
【請求項７】
前記解像度変換手段が解像度変換する入力ビデオ信号の画像領域と所定の解像度を指定する指令が前記通信Ｉ／Ｆ手段を介してまたは解像度変換指定手段から入力されることを特徴とする請求項６に記載のビデオ信号符号化装置。
【請求項８】
請求項６または請求項７に記載のビデオ信号符号化装置と、上記第１の符号化ビデオビットストリームを記録する蓄積メディア
を備えることを特徴とするビデオ信号記録装置。
【請求項９】
上記第２の符号化ビデオビットストリームを記録する蓄積メディアを備えることを特徴とする請求項８に記載のビデオ信号記録装置。
【請求項１０】
入力ビデオ信号を圧縮符号化した符号化ビデオビットストリームを出力するビデオ信号符号化復号化装置において、
前記入力ビデオ信号を圧縮符号化し第１の符号化ビデオビットストリームを生成して出力する第１のビデオ圧縮符号化手段と、
前記入力ビデオ信号のうち一部の画像領域のみを所定の解像度に解像度変換する解像度変換手段と、
該解像度変換手段によって解像度変換されたビデオ信号を圧縮符号化し第２の符号化ビデオビットストリームを生成して出力する第２のビデオ圧縮符号化手段と、
前記第１の符号化ビットストリームを伸長復号化する第１のビデオ伸長復号化手段と、
前記第２の符号化ビットストリームを伸長復号化する第２のビデオ伸長復号化手段と、
前記第２の符号化ビデオビットストリーム及び各種制御コマンド等を通信ネットワークに入出力する通信Ｉ／Ｆ手段と、
前記第１のビデオ伸長復号化手段が生成する第１の伸長ビデオ信号と前記通信Ｉ／Ｆ手段から入力される通信ネットワークから入力された前記第２のビデオ伸長復号化手段が生成する第２の伸長ビデオ信号を出力する手段を備え、
前記通信ネットワーク上にある同構成の装置間で相互に制御して所望画角のビデオビットストリームを入手し伸長復号をすることを特徴とするビデオ信号符号化復号化装置。
【請求項１１】
圧縮された符号化ビデオビットストリームを入力とし、復号してビデオ信号を出力するビデオ信号符号化復号化装置において、
入力された第１の符号化ビデオビットストリームを復号し、指定された画像サイズと同じ解像度を持つ第１のビデオ信号を出力する第１のビデオ伸長復号手段と、
前記第１のビデオ信号から一部の画像領域のみを所定の解像度に解像度変換する解像度変換手段と、
該解像度変換手段で解像度変換された第１のビデオ信号を再び圧縮符号化して第２の符号化ビデオビットストリームを出力する第２のビデオ圧縮符号化手段と、該第２の符号化ビデオビットストリーム及び各種制御コマンド等を通信ネットワークに入出力する通信Ｉ／Ｆ手段と、
前記第１のビデオ伸長復号化手段が生成する第１の伸長ビデオ信号と前記通信Ｉ／Ｆ手段から入力される通信ネットワークからの前記第２のビデオ伸長復号化手段が生成する第２の伸長ビデオ信号を出力する手段と、
前記通信ネットワーク上にある同構成の装置間で相互に制御して所望画角のビデオビットストリームを入手し伸長復号をすることを特徴とするビデオ信号符号化復号化装置。
【請求項１２】
前記通信ネットワーク上にある外部の装置からの指示に従って、上記解像度変換手段の切出し画面領域の範囲、および解像度変換の拡大縮小率を変更させることにより前記通信ネットワーク上にある外部の装置に表示する画面のズーム処理を行う手段を備えることを特徴とする請求項１０または請求項１１に記載のビデオ信号符号化復号化装置。
【請求項１３】
請求項８または請求項９に記載のビデオ信号記録装置の複数を、通信網を介して相互に接続したことを特徴とする監視システム。
【請求項１４】
請求項８または請求項９に記載のビデオ信号記録装置を備えた携帯端末。
【発明の詳細な説明】
【０００１】
【発明の属する技術分野】
本発明は、ビデオ信号を圧縮符号化して生成した符号化ビデオビットストリームをデジタル蓄積メディアに記録し、また再生時には該符号化ビデオビットストリームを伸長して画像として出力する画像記録再生装置に関する。さらに本発明は、上記画像記録再生装置を用いた監視システム及び携帯端末に関連する。
【０００２】
【従来の技術】
画像情報をディジタル化し圧縮符号化理論を用いて圧縮符号化した画像情報を、蓄積媒体に記録したり通信媒体を介して転送する技術が、多種多様な機器で用いられるようになってきた。例えばＭＰＥＧ２Ｖｉｄｅｏ（ＩＳＯ／ＩＥＣ１３８１８−２）を用いたＤＶＤ記録再生装置や、ＭＰＥＧ４Ｖｉｄｅｏ（ＩＳＯ／ＩＥＣ１４４９６−２）を用いた携帯端末間の通信、またＪＰＥＧ圧縮技術を用いたディジタルスチルカメラなどが普及している。さらに複数のメディアとのインタフェースをもち、それぞれのメディアに対応した複数の符号化方式で画像を圧縮符号化および復号するような機器もあり、異なる符号化方式間でのデータ変換およびデータのコピー、バックアップ技術が必要されつつある。例えば、同じ入力画像から異なる符号化方式で記録する画像記録装置が開示されている（例えば、特許文献１参照）。
【０００３】
また、一度ＭＰＥＧ２Ｖｉｄｅｏで圧縮符号化されたビデオビットストリームをＭＰＥＧ４Ｖｉｄｅｏの符号化方式に変換（トランスコード）する装置が既に開示されている（例えば、特許文献２参照）
【０００４】
【特許文献１】
特開平１０−１０８１３３号公報
【特許文献２】
特開２００２−１２５２３４号公報
【０００５】
【発明が解決しようとする課題】
上記、公知例群では、複数の符号化方式に対応する際、異なる符号化、復号手段間で画像サイズの違うデータを扱うことを許容しているが、例えば、片方の画像にのみズーム処理して圧縮符号化をかけるなど、複数の圧縮符号化、復号手段間で画郭の変更を要する場合は、別途、新たな手段を設ける必要があった。ここで課題にしている例として、例えばひとつの入力画像をもちＭＰＥＧ２とＭＰＥＧ４の符号化規格で同時にストリームを出力する際、相互の装置間でＭＰＥＧ４のストリームのみ入力画像の一部をズームアップして出力するような場合が挙げられる。また、別の例としてＭＰＥＧ２で予め蓄積メディアに記録された符号化ストリームを復号し、ＭＰＥＧ４のストリームに変換し通信メディアを介して送信するような場合に、やはり相互の装置間で一部の画像部分のみをズームアップしてトランスコードする機能などがある。
【０００６】
本発明は、上記の機能を実現し、さらにズーム処理時の画質劣化を低減した手法を提案することを目的とする。また、本発明は、全体のハードウェアおよび制御ソフトウェアのコスト面で安価な装置を実現することを課題とする。
【０００７】
【課題を解決するための手段】
上記課題を解決するために、本発明は、入力ビデオ信号の解像度と同じ解像度を保持しながら入力ビデオ信号の第１の符号化ビデオビットストリームを生成して出力する第１のビデオ圧縮符号化手段と、前記入力ビデオ信号のうち一部の画像領域のみを所定の解像度に解像度変換し第２の符号化ビデオビットストリームを生成して出力する第２のビデオ圧縮符号化手段を備え、上記解像度を外部にある上記構成の装置との間で相互に制御できる手段を備える。
【０００８】
また、圧縮された符号化ビデオビットストリームを入力とし、入力符号化ビデオビットストリームを復号し、入力符号化ビデオビットストリームにおいて指定されたサイズと同じ解像度を持つビデオ信号を出力するビデオ復号手段と、該第１のビデオ信号の画像のうち一部の画像領域のみを所定の解像度に解像度変換し再び圧縮符号化して符号化ビデオビットストリームを出力するビデオ圧縮符号化手段を備える。
【０００９】
また、自らの装置が生成する第１のビデオ信号と、通信相手の装置が生成しネットワークを介して入力される解像度変換された第２の符号化ビデオビットストリームを復号して第２のビデオ信号を生成し、上記第１のビデオ信号及び第２のビデオ信号を同時に出力することが可能な出力手段を設ける。
【００１０】
【発明の実施の形態】
以下、本発明にかかるビデオ信号記録再生装置の実施の形態について記載する。まず、本発明にかかるビデオ信号記録再生装置の第１の実施例について図１のブロック図を用いて述べる。第１の実施例は、ディジタルビデオ信号を入力として、ＭＰＥＧ２符号化方式で蓄積メディアへ記録し、またＭＰＥＧ４方式で通信ネットワークに接続された同様の構成を有するまたは一部の構成を有する携帯端末に送信するビデオ信号記録再生装置である。
【００１１】
ビデオ信号記録再生装置１００は、ディジタル画像入力端子１０１と、ＭＰＥＧ２ビデオエンコーダ１０２と、蓄積メディアＩ／Ｆ１０３と、ハードディスク１０４と、ＭＰＥＧ２デコーダ１０５と、画像切出し部１０７と、画像拡大回路１０８と、解像度変換部１０９と、ＭＰＥＧ４ビデオエンコーダ１１０と、通信Ｉ／Ｆ１１１と、制御回路１１４と、ユーザインタフェース１１６と、ＭＰＥＧ４ビデオデコーダ１２１と、画像合成回路１２２と、復号画像出力端子１２０とを有して構成される。ビデオ信号記録再生装置１００は、通信ネットワーク１１２を介して、ビデオ信号記録再生装置１００と同じ構成を備えた携帯端末１１３に接続される。ビデオ信号記録再生装置１００は、被写体を撮像しビデオ信号を生成してディジタル画像入力端子１０１へ出力する、図示を省略した撮像手段を備えることができる。
【００１２】
入力端子１０１から入力されたディジタル画像信号（たとえば／ＲＥＣ６０１方式）は、ハードディスク１０４で記録するために、まずＭＰＥＧ２エンコーダ１０２でＭＰＥＧ２ビデオＭＰ＠ＭＬレベルに準拠したエレメンタリストリー（ＥＳ）に符号化され情報量を圧縮される。その後、蓄積メディアＩ／Ｆ１０３に転送され、ハードディスク１０４がサポートするＡＴＡやＳＣＳＩなどのプロトコルに準拠してハードディスク１０４に記録される。このとき、後に所定の時刻のデータを検索し、再生可能にするためＭＰＥＧ２符号化ストリームはパケッタイズさらにファイル化され、管理情報とともにハードディスク１０４に記録される。
【００１３】
再生時には蓄積メディアＩ／Ｆ１０３によってファイルが読み出され、パケッタイズされていた情報よりＥＳのみを抽出し、ＭＰＥＧ２デコーダ１０５に渡される。
【００１４】
ＭＰＥＧ２デコーダ１０５では、ＥＳデータは復号され、ディジタルビデオ信号として出力端子１２０より図示されていないディスプレイ機器に表示される。
【００１５】
入力端子１０１からハードディスク１０４に記録、さらに再生して出力端子１２０から出力するデータパスで扱われる画像サイズは、図２のオリジナル画像１０に示すように入力端子１０１から入力されたビデオ信号の有効画素領域分７０４×４８０の画像領域と同等サイズであり、図２の蓄積メディア記録自画像１１に示すように７０４×４８０である。
【００１６】
一方、通信ネットワーク１１２に接続された携帯端末１１３にＭＰＥＧ４のデータを送信する際には、通信ネットワーク１１２経由で通信Ｉ／Ｆ１１１が受信し抽出した携帯端末１１３からの制御コマンドを、制御回路１１４に入力して、以下の処理が施される。入力端子１０１からの入力ビデオ信号は、制御コマンドに基づいて画像切出し部１０７で入力画像のうち一部分が切り取られ次の拡大回路１０８で０値画素補間される。さらに、携帯端末側で表示されるべきサイズに解像度変換部１０９でローパスフィルタ処理、画素間引き処理が行われＭＰＥＧ４エンコーダに渡される。
【００１７】
ＭＰＥＧ４でエンコードされたＭＰＥＧ４ストリームは、通信Ｉ／Ｆ１１１を介して通信ネットワーク１１２に接続された携帯端末１１３に送信される。携帯端末１１３はたとえば、ＭＰＥＧ４復号機能つき携帯電話などであって、送信されたＭＰＥＧ４ストリームを復号することでユーザが、遠隔地より入力端子１０１に入ったビデオ信号をモニタリングすることができる。
【００１８】
また、携帯端末側に内臓もしくは接続されている図示していないカメラの画面のズームを希望する場合、ユーザＩ／Ｆ１１６よりズーム処理を指定し、該制御コマンドを通信ネットワーク１１２を介して携帯端末１１３に転送する。
【００１９】
携帯端末１１３は、受信した制御コマンドをもとに、ズーム倍率、ズーム位置を調整し、生成したＭＰＥＧ４ストリームをネットワーク１１２を介してビデオ信号記録再生装置に転送することにより、相互の映像をモニタリングすることが可能となる。
【００２０】
次に、上記画像切出し部１０７〜解像度変換部１０９における画像の解像度変換の過程を、図２を用いて説明する。ここでは、オリジナル画像１０で示された入力画像の有効画素領域は７０４×４８０であり、最終的に携帯端末１１３で表示する通信端末出力画像１３の画像サイズを１７６×１２０とする。
【００２１】
携帯端末１１３でズームの機能が指示されていない場合、入力端子１０１からの入力画像は、画像切出し部１０７において入力画像１０の有効画素帰還すべての画像領域が選択され、次の拡大回路１０８に送られる。この場合、拡大回路では何も変換処理が行われず、次の解像度変換部１０９にすべての画素情報を送信する。
【００２２】
解像度変換部１０９では、ＬＰＦ（ローパスフィルタブロック）１２で水平、垂直ともにデータの高域成分をカットしたのち、水平、垂直の画素を間引いて画像サイズを縮小する。図２の場合、オリジナル画像サイズ７０４×４８０に対して端末側での出力画像サイズは水平、垂直ともに１／４なので水平、垂直ともにオリジナル画像１０の各画素位置から４画素に１画素だけ残して後の画素位置の情報を破棄する。前段のＬＰＦで適切にエリアジング成分の除去を施すことにより、画質の劣化を抑えながら縮小を行うことが可能である。
【００２３】
次に、ズーム処理が入る場合の処理について説明する。ズーム処理が入る場合、制御回路１１４から画像切出し部１０７にズーム倍率に応じて切出し部分の領域サイズ（水平×垂直）と切出し部分のオリジナル画像中の位置についての指定情報が入力される。例えば、ズーム倍率が２倍のとき、オリジナル画像１０のうち、水平、垂直それぞれ１／２のサイズ領域すなわち、３５２×２４０分の画像領域が所定オフセット位置より切出しされる。ここで切出しとは、その画素情報のみを次の拡大回路に渡し、他の画像情報を破棄することを意味する。
【００２４】
切出しされた部分画像１４は、拡大回路１０８において、一度７０４×４８０の画素サイズ（中間拡大画像１５）に補間される。このため、水平、垂直方向にそれぞれ０値の画素を補間する。例えば、上記例の場合、水平、垂直方向にそれぞれ１画素ごとに０値の画素を挿入することで、７０４×４８０の中間拡大画像が得られる。
【００２５】
この後、ＬＰＦ１２を施したのちズーム処理無しのときと同じ間引き率で間引き処理を解像度変換部１０９で行うことで、ズーム処理された端末画像サイズの画像データを生成できる。
【００２６】
本方式では、一般にＭ倍に拡大したズーム画面を端末画面サイズに変換したい場合には、切出し部分１４の切出し画面サイズを水平、垂直それぞれオリジナル画像１０の１／Ｍの画像サイズにして、拡大回路１０８において水平、垂直それぞれ１画素ごとに（Ｍ−１）個の０値画素を補間し、後は上記例と同様にＬＰＦ処理、画素間引き処理を行うことで、複数のズーム倍率に同一回路で対応することが可能である。
【００２７】
なお、上記例では、解像度変換部１０９における縮小率を（１／（整数））としているが、間引き処理前に０値補間によりｐ倍に画像を拡大したのち１／ｑに縮小すれば、ｐ／ｑ（ｐ、ｑは整数値）の縮尺比を有する任意の端末画像サイズに対応することができる。
【００２８】
さらに、携帯端末１１３から切出し部分１４のオフセット位置情報の変更情報を制御回路１１４に通知し、制御回路１１４が入力画像の有効画素領域１０からの切出し位置を変更することで、ズーム位置を上下左右に移動させることができる。
【００２９】
ズーム倍率、切出し位置の指定は、ユーザーＩ／Ｆ１１６よりユーザーによって指定され、この指定に基づき制御回路１１４がズーム処理を制御することができる。
【００３０】
上記のように本発明の第１の実施例では、ＭＰＥＧ４のズーム処理のための画像解像度変換部(画像切出し部１０７、拡大回路１０８、解像度変換部１０９)は、ＭＰＥＧ４ストリームの符号化を行うデータパス上にあり、ＭＰＥＧ２ストリームを生成するデータパスには全く影響を与えない。
【００３１】
したがって、ＭＰＥＧ２ストリームでハードディスク１０４に記録を続行しつつ、ＭＰＥＧ４ストリームを携帯端末１１３に出力し、ＭＰＥＧ４のストリームを受信した携帯端末１１４でズーム処理を指示した場合、ＭＰＥＧ２の記録処理とは独立にＭＰＥＧ４の符号化ストリームの画郭のみを変更することができる。
【００３２】
これは、例えば監視システムなどで、入力画像としてある事件の犯行現場が入力されこれを記録している最中に、携帯電話などでその状況をモニタリングし、携帯電話を持ったユーザーが注視したい部分をズームアップして即座に重要な部分をチェックするような場合に特に有効である。仮に、ズームアップしたことにより、重要な被写体の動きに追従できず携帯電話中のモニタしている画郭からはずれたとしても、ハードディスク１０４に記録されるデータには影響がでないため、後に警察に提出する証拠物件として重要な箇所が欠落するというような問題が生じない。
【００３３】
また、距離が離れた場所に設けられた複数の監視システム間において、相手側のモニタリングしたい所望の映像を見ながら、自らの監視を滞りなく継続することができる。
【００３４】
また、本実施例は、ズーム処理時の画質の劣化低減の点で他の手法よりも有利である。例えばＭＰＥＧ４エンコーダ前にズーム処理を行うのではなく、携帯端末側でＭＰＥＧ４の復号処理を行ったのちに拡大処理を行うとすると、上記例の２倍のズーム処理を行うために、携帯端末側のデコード画像中の８８×６０の画像サイズ領域を２倍に拡大して出力する必要がある。
【００３５】
この場合、図２の拡大処理時には同じズーム処理のための画像をオリジナル画像の３５２×２４０の画像領域の情報から生成していたのに対して、すでに画素情報が欠落した状態の８８×６０の画像サイズから生成するため画質劣化が著しくなる。これを低減するためにさらにローパスフィルタ処理を施しても、画像の精細度はやはり失われてしまう。この傾向は、ズーム倍率が大きい場合に顕著である。
【００３６】
また、放送画像を入力画像とし、蓄積メディアに記録しつつ、遠隔地でモニタリングするような用途の場合でも同様の効果が得られる。
【００３７】
次に、本発明第２の実施例を、図３を用いて説明する。以下の説明では、多くの機能ブロックが図１の第１の実施例と重複するため、同機能ブロックについては、図１と同じ番号をつけ、説明を省略する。本実施例では、ＭＰＥＧ２方式で符号化したストリームを蓄積メディアに記録し、ＭＰＥＧ４方式で符号化したストリームをメモリＩＣのＩ／Ｆ１１７を介して、メモリＩＣ１１８に記録する手段を持ったビデオ圧縮符号化記録再生装置３００である。このとき、本発明の実施例１で説明した図２のズーム処理を行うため、ズーム倍率、ズーム位置に関する指示は同一構成を含んでいるネットワーク上の携帯端末が行う。
【００３８】
本実施例では、例えば入力画像の重要な部分のみを抽出して、メモリＩＣなどに記録するような場合に効果的である。例えば、１９２０×１０８０などの高解像度のフォーマットを持つデジタルビデオカメラの撮像画像を入力とし、比較的容量の小さい記憶媒体に格納するような場合に一部だけを切り取り、例えば３５２×２４０などの小画面に変換してメモリＩＣに記録することで情報量を小さくしてデータを抽出することができる。この場合も、蓄積メディア１０４への記録とは無関係にズームが可能である。
【００３９】
次に、図４を用いて、本発明の第３の実施例を説明する。本実施例では、ＭＰＥＧ２方式で符号化されたビデオデータが蓄積メディアに格納される。これを復号して出力する際、一部の端末画像を切出してズームし、ＭＰＥＧ４ストリームとして、ネットワークに接続された携帯端末１１３に転送する手段をもつ。ズーム処理に関する詳細は、本発明第１の実施例の画像解像度変換手段１０７〜１０９と同様であり、第１の実施例との違いは、画像切出し部１０７へ入力される画像が、ハードディスク１０４からリードされ、ＭＰＥＧ２デコーダ１０５で復号された再生画像データである点である。また、ズーム倍率、切出し位置の指定は、ユーザーＩ／Ｆ１１６よりユーザーによって指定され、この指定に基づき制御回路１１４がズーム処理を制御する。本実施例では、例えば携帯端末１１３を持つユーザーが遠隔地から、ハードディスク１０４に記録されたデータを再生して、さらに注視したい部分についてズームして確認する機能を提供することが可能である。
【００４０】
図４のように、画像切出し部１０７によりズームすべき画像領域データを切出し、拡大回路１０８により一度入力画像と同等サイズに拡大された時点で、入力端子１０１から入力されたディジタル画像のフォーマットと同じフォーマットで出力端子１２０から出力する。
【００４１】
したがって、携帯端末側からではなく記録再生装置内あるユーザーＩ／Ｆ装置１１６からの指示によりズーム処理を行い、携帯端末に出力するような場合、ズーム後の画郭をもちまだ携帯端末画面サイズに縮小されていない画像を出力端子１２０から図示していないディスプレイなどに出力することで、携帯端末１１３におけるズーム画像の画郭をチェックできる。
【００４２】
次に、図５を用いて、本発明の第４の実施例について説明する。図５では、図４と同様に、一度蓄積メディアに記録されたＭＰＥＧ２符号化ビデオストリームをトランスコードし、ＭＰＥＧ４符号化ビデオストリームを生成する。ただし、生成されたＭＰＥＧ４符号化ビデオストリームは、メモリＩＣのＩ／Ｆ１１７を介して、メモリＩＣ１１８に記録される。
【００４３】
本システムは、例えば監視システム用途に用いることができ重要な被写体が写っている部分のみを拡大してメモリＩＣ１１８に記録することが可能である。メモリＩＣのように少ない記録メディアに効率よく必要な情報のみをバックアップを取ることが可能である。
【００４４】
また、本実施例を個人向け記録装置に適用した場合、蓄積メディア１０４は、例えば、ハードディスクやＤＶＤ−／ＲＡＭであり、蓄積メディア１０４に記録された被写体のうち、ユーザーの興味のある画像部分のみを切出し、好みの画郭に修正してメモリＩＣに記憶することが可能である。
【００４５】
ズーム画像の切出し位置、倍率の指定についてはユーザーがユーザ−Ｉ／Ｆ１１６よりボタン操作などで行う。指示された情報は制御回路１１４を通じて、画像切出し部１０７、拡大回路１０８に伝達される。
【００４６】
本実施例においても第３の実施例と同様に、ズーム後の画郭を持つ入力画像と同じサイズを持つディジタルビデオ信号を端子１２０より出力することができ、メモリＩＣ１１８に記録するサイズに縮小前にズーム画郭をディスプレイ等によってモニタリングすることができる。
【００４７】
こうしてＭＰＥＧ４の符号化ストリームが記憶されたメモリＩＣ１１８は、例えば、メモリＩＣ内の符号化ストリームが再生可能な他の携帯機器でポートレート的にブラウズすることが可能であり、このとき携帯機器側で既に縮小された画像からズームするよりも高画質の画像が得られる。
【００４８】
上記実施例１〜４では、ＭＰＥＧ２、ＭＰＥＧ４を符号化方式として説明したが、他の動画あるいは静止画の圧縮方式（例えば、ＪＰＥＧ、ＪＰＥＧ２０００、Ｈ．２６３など）を用いて、上記実施例と異なる入出力画像サイズを持つシステムにおいても同様に有効であることは明らかである。
【００４９】
さらに、蓄積メディアとして、ハードディスク以外にＤＶＤ−／ＲＡＭ／／Ｒ、ＩＣメモリ類などを用いても同様に有効であることは言うまでもない。
【００５０】
さらに、通信ネットワーク部分はイーサーネット接続されたネットワークでも本質的に違いはない。
【００５１】
また、ズーム機能として、画像切出し部、拡大回路、解像度変換部と分割して記述されているが、帯域制限のローパスフィルタと解像度変換部で実現された他の変換手順を用いていても、本発明における請求の範囲であり、同等の効果が得られる。
【００５２】
【発明の効果】
本発明によれば、複数の符号化方式で画像を圧縮、復号するシステムにおいて、片方の画像にのみ画郭を変更しつつ、ズーム処理して圧縮符号化をかける機能及び複合再生する機能を提供することができる。例えば、ひとつの入力画像をもちＭＰＥＧ２とＭＰＥＧ４の符号化規格で同時にストリームを出力する際、ＭＰＥＧ４のストリームのみ入力画像の一部をズームアップして相手側の機器に出力するような機能を実現することが可能である。また、別の例として、ＭＰＥＧ２で予め蓄積メディアに記録された符号化ストリームを復号し、ＭＰＥＧ４のストリームに変換し通信メディアを介して送信するような場合に、やはり一部の画像部分のみをズームアップしてトランスコードすることが可能となる。
【００５３】
本発明では、上記の機能を実現し、さらにズーム処理時の画質劣化を低減できるという効果をもつ。
【図面の簡単な説明】
【図１】本発明にかかる符号化記録再生装置の第１の実施例を説明するブロックダイアグラム。
【図２】本発明における画像のズーム処理を説明する図。
【図３】本発明にかかる符号化記録再生装置の第２の実施例を説明するブロックダイアグラム。
【図４】本発明にかかる符号化記録再生装置の第３の実施例を説明するブロックダイアグラム。
【図５】本発明にかかる符号化記録再生装置の第４の実施例を説明するブロックダイアグラム。
【符号の説明】
１０１  ディジタルビデオ入力端子
１０２  ＭＰＥＧ２エンコーダ
１０３  蓄積メディアＩ／Ｆ
１０４  ハードディスク
１０５  ＭＰＥＧ２デコーダ
１０７  画像切出し部
１０８  拡大回路
１０９  解像度変換部
１１０  ＭＰＥＧ４エンコーダ
１１１  通信Ｉ／Ｆ
１１２  通信ネットワーク
１１３  携帯端末
１１４  ズーム処理制御回路
１１６  ユーザーＩ／Ｆ
１２０  復号画像出力端子
【図１】
2004208213.tif 000003
【図２】
2004208213.tif 000004
【図３】
2004208213.tif 000005
【図４】
2004208213.tif 000006
【図５】
2004208213.tif 000007